(57)【要約】【課題】本発明の目的は、取り出す過程が簡単である係合装置を提供するものである。【解決手段】上述した課題を解決ために、第一穴部が設けられるカバーと、前記第一穴部に装着され、外部設備に係合される鉤部と、前記鉤部と前記外部設備が分離するように移動するリンクと、前記リンクに連結され、第一ガイド面及び第一接続面を具備する位置決定部と、第二ガイド面及び第二接続面を具備する検査ピンと、を含み、前記外部設備を取り出す場合、前記位置決定部と前記検査ピンが分離し、前記外部設備を装着する場合、前記位置決定部が前記検査ピンに当接され、前記リンクが移動する場合、前記第一ガイド面と前記第二ガイド面が接続すると互いに滑動し、前記第一接続面と第二接続面が当接すると前記リンクが停止する係合装置を提供する。【選択図】図３
2008004100.tif 000002
【特許請求の範囲】
【請求項１】
第一穴部が設けられるカバーと、
前記第一穴部に装着され、外部設備に係合される鉤部と、
前記鉤部と前記外部設備が分離するように移動するリンクと、
前記リンクに連結され、第一ガイド面及び第一接続面を具備する位置決定部と、
第二ガイド面及び第二接続面を具備する検査ピンと、を含み、
前記外部設備を取り出す場合、前記位置決定部と前記検査ピンとが分離し、
前記外部設備を装着する場合、前記位置決定部が前記検査ピンに当接され、
前記リンクが移動する場合、前記第一ガイド面と前記第二ガイド面とが接続すると互いに滑動し、前記第一接続面と第二接続面とが当接すると前記リンクが停止することを特徴とする係合装置。
【請求項２】
前記カバーに前記検査ピンを装着するための第二穴部が更に設けられていることを特徴とする請求項１に記載の係合装置。
【請求項３】
前記係合装置は、前記カバーとリンクとの間に当接されて、前記リンクがもとの位置へ戻るように弾性力を提供する第一スプリングをさらに含むことを特徴とする請求項１に記載の係合装置。
【請求項４】
前記係合装置は、前記カバーと検査ピンとの間に当接されて、前記検査ピンと前記位置決定部とが分離するように弾性力を提供する第二スプリングをさらに含むことを特徴とする請求項１に記載の係合装置。
【請求項５】
前記リンクが移動し、且つ前記第一ガイド面と前記ガイド面が接続する場合、前記位置決定部が前記検査ピンに相対して遠ざかる方向へ移動することを特徴とする請求項１に記載の係合装置。
【請求項６】
前記係合装置は、前記カバーと位置決定部との間に当接されて、前記位置決定部が前記検査ピンを接近する方向へ移動するように弾性力を提供する第三スプリングをさらに含むことを特徴とする請求項５に記載の係合装置。
【請求項７】
前記検査ピンは、検査柱及び接続部を含み、
前記第二ガイド面及び第二接続面が前記接続部に形成され、
前記第一ガイド面及び第二ガイド面が接続して移動する時、前記検査ピンが前記位置決定部に相対して遠ざかる方向へ移動することを特徴とする請求項１に記載の係合装置。
【請求項８】
前記係合装置は、前記検査ピンの検査柱に装着されて、前記検査ピンが前記位置決定部を接近する方向へ移動するように弾性力を提供する第四スプリングをさらに含むことを特徴とする請求項７に記載の係合装置。
【請求項９】
前記係合装置は、前記鉤部に装着されて、回転された鉤部がもとの位置へ戻るように弾性力を提供するトルクスプリンクをさらに含むことを特徴とする請求項１に記載の係合装置。
【請求項１０】
第一穴部、第二穴部及び第三穴部が設けられるカバーと、
前記第一穴部に装着され、外部設備と電気連結するコネクタと、
前記第二穴部に装着され、外部設備に係合される鉤部と、
前記鉤部と前記外部設備が分離するように移動するリンクと、
前記第三穴部に装着され、第一ガイド面及び第一接続面を具備する検査ピンと、を含み、
前記外部設備と前記コネクタが分離される場合、前記検査ピンと前記リンクとが分離し、
前記外部設備と前記コネクタが連結される場合、前記検査ピンと前記リンクとが当接し、
前記第一ガイド面と前記リンクが接続する場合、前記リンクが滑動し、
前記第一接続面と前記リンクが当接する場合、前記リンクが停止することを特徴とするドッキングステーション。
【請求項１１】
前記係合装置は、前記カバーとリンクとの間に当接されて、前記リンクがもとの位置へ戻るように弾性力を提供する第一スプリングと、
前記カバーと検査ピンとの間に当接されて、前記検査ピンと前記位置決定部とが分離するように弾性力を提供する第二スプリングと、をさらに含むことを特徴とする請求項１０に記載のドッキングステーション。
【請求項１２】
前記リンクには、第二ガイド面及び第二接続面を具備する位置決定部が形成され、
前記第一ガイド面と前記第二ガイド面とが接続すると互いに滑動し、
前記第一接続面と第二接続面とが当接すると互いに止動されることを特徴とする請求項１０に記載のドッキングステーション。
【請求項１３】
前記リンクは、前記位置決定部を相対して移動し、
前記ドッキングステーションは、前記リンクと位置決定部の間に当接されて、前記位置決定部が前記検査ピンを接近する方向へ移動するように弾性力を提供する第三スプリングをさらに含むことを特徴とする請求項１２に記載のドッキングステーション。
【発明の詳細な説明】
【技術分野】
【０００１】
本発明は、係合装置と該係合装置を用いたドッキングステーションとに関する。
【背景技術】
【０００２】
電子技術の発展に伴って、いかなる場所でも随時使用できるようにするために、大衆消費電子装置は小型化の方向へ発展している。これにより、使用者が便利に携帯することができるようになる。ここで、前記大衆消費電子装置とは、ノートパソコン、携帯式プレーヤー、携帯式ゲーム等を指す。
【０００３】
ノートパソコンをデスクトップパソコンに比べると、前者は厚さが薄く、体積が小さいという特徴があるので、前者はその携帯性において後者よりもはるかに優れている。しかし、ノートパソコンは、そのサイズが小さいので、拡張用スロットや拡張用係合装置が比較的少ない。この問題を解決するために、パソコンメーカは、ノートパソコンの機能を拡張するドッキングステーション（Docking Station）を開発した。
【０００４】
前記ドッキングステーションは、その上にノートパソコンを搭載して該ノートパソコンの機能を拡張する機能拡張ユニットである。このドッキングステーションには、外部装置と連結する複数の拡張用スロットが配置されているので、ノートパソコンに拡張用スロット或いは拡張用係合装置が比較的少ないという問題を解決することができる。従って、フロッピー（登録商標）ドライブ、ＣＤ−ＲＯＭドライブ、ハードディスクやプリンタなどの接続端子又は拡張スロットを備え、さらにノートパソコンと組み合わせることによってデスクトップパソコン並みの機能及び拡張性を実現することができる。また、ノートパソコン本体を薄く、軽量にすることができるので、機動性及び機能性を両立することができる。
【０００５】
前記ノートパソコンを前記ドッキングステーションの上に確実に搭載するために、通常前記ドッキングステーションに係合装置を設置する必要がある。前記係合装置は、前記ドッキングステーションの上に搭載されたノートパソコンをドッキングステーションに確実に係合する。前記係合装置は、鉤部と、前記鉤部に装着されるスプリンクと、前記鉤部に連結されるリンクと、前記リンクに当接されるボタンとを含む。前記ノートパソコンをドッキングステーションの上に搭載した場合、前記鉤部が前記スプリンクの弾性力によって、前記ノートパソコンに係合されるので、前記ノートパソコンが前記ドッキングステーションの上に搭載される状態を維持することができる。
【０００６】
前記ドッキングステーションの上から前記ノートパソコンを取り出す時、まず前記係合装置のボタンをクリックすると、前記リンクが前記ボタンに当接されて移動し、前記鉤部が前記リンクに連動されて前記ノートパソコンから離脱する。従って、前記ノートパソコンを前記ドッキングステーションの上から取り出すことができる。前記ノートパソコンを取り出した後、前記ボタンを放すと、前記リンクがもとの位置へ戻る。
【０００７】
しかし、前記ノートパソコンを前記ドッキングステーションの上で取り出す時、１つの手で前記ボタンをクリックする必要があるから、操作が不便になる。
【発明の開示】
【発明が解決しようとする課題】
【０００８】
以上の問題点に鑑みて、本発明は取り出す過程が簡単である係合装置を提供するのを目的とする。本発明の他の課題は、この係合装置を使用したドッキングステーションを提供するのを目的とする。
【課題を解決するための手段】
【０００９】
上述した課題を解決ために、第一穴部が設けられるカバーと、前記第一穴部に装着され、外部設備に係合される鉤部と、前記鉤部と前記外部設備が分離するように移動するリンクと、前記リンクに連結され、第一ガイド面及び第一接続面を具備する位置決定部と、第二ガイド面及び第二接続面を具備する検査ピンと、を含み、前記外部設備を取り出す場合、前記位置決定部と前記検査ピンが分離し、前記外部設備を装着する場合、前記位置決定部が前記検査ピンに当接され、前記リンクが移動する場合、前記第一ガイド面と前記第二ガイド面が接続すると互いに滑動し、前記第一接続面と第二接続面が当接すると前記リンクが停止する係合装置を提供する。
【００１０】
上述した他の課題を解決ために、第一穴部、第二穴部及び第三穴部が設けられるカバーと、前記第一穴部に装着され、外部設備と電気連結するコネクタと、前記第二穴部に装着され、外部設備に係合される鉤部と、前記鉤部と前記外部設備が分離するように移動するリンクと、前記第三穴部に装着され、第一ガイド面及び第一接続面を具備する検査ピンと、を含み、前記外部設備と前記コネクタが分離される場合、前記検査ピンと前記リンクが分離し、前記外部設備と前記コネクタが連結される場合、前記検査ピンと前記リンクが当接し、前記第一ガイド面と前記リンクが接続する場合、前記リンクが滑動し、前記第一接続面と前記リンクが当接する場合、前記リンクが停止するドッキングステーションを提供する。
【発明の効果】
【００１１】
前記係合装置において、前記外部設備を取り出す場合、前記位置決定部と前記検査ピンが分離し、前記外部設備を装着する場合、前記位置決定部が前記検査ピンに当接されることによって、前記リンクの移動を制御する。前記ドッキングステーションにおいて、前記外部設備と前記コネクタが分離される場合、前記検査ピンと前記リンクが分離し、前記外部設備と前記コネクタが連結される場合、前記検査ピンと前記リンクが当接することによって前記リンクの移動を制御する。
【００１２】
前記係合装置から前記外部設備を取り出す時、前記ボタンをクリックすると、前記鉤部が前記リンクに連動されて、開放の方向へ移動する。前記検査ピンが前記位置決定部に止動されるので、前記ボタンをクリックする後、ボタンを放しても、使用者が両手で前記外部設備を前記係合装置から容易に取り出すことができる。又、前記外部設備を完全に取り出した後、前記検査ピンと位置決定部が分離し、ロック状態が消えるので、前記係合装置の種々の部品が皆初めの位置へ戻る。
【発明を実施するための最良の形態】
【００１３】
以下図面に基づいて、本発明の実施形態に係る係合装置に対して詳細に説明する。
【００１４】
図１は、本発明の第一実施形態に係る係合装置１０の斜視図である。図２は、図１に示した係合装置１０の分解図である。図１及び図２を参照すると、係合装置１０は、カバー４０と、前記カバー４０の内に収納されるボタン２１と、連動ユニット２３と、２つの係合ユニット２５と、第一スプリンク２７と、第二スプリンク２９と、位置決定ユニット３１と、を含んでいる。
【００１５】
前記ボタン２１及び係合ユニット２５は、それぞれ前記連動ユニット２３の両端に設けられている。前記第一スプリンク２７及び第二スプリンク２９は、前記カバー４０に当接するように前記連動ユニット２３に固定され、且つ前記連動ユニット２３が移動した後、もとの位置へ戻るように弾性力を作用させる。前記位置決定ユニット３１は、前記ボタン２１と係合ユニット２５の間に置かれるように、前記連動ユニット２３に連結されている。前記ボタン２１をクリックする前、前記係合装置１０がロック状態に置かれ、前記ボタン２１をクリックした後、前記係合装置１０が開放状態に置かれる。
【００１６】
前記ボタン２１をクリックすると、前記連動ユニット２３が連動されて移動し、且つ前記係合ユニット２５が前記連動ユニット２３に連動されて、前記係合装置１０がロック状態から開放状態へ入る。前記第一スプリンク２７及び第二スプリンク２９は、前記連動ユニット２３がもとの位置へ戻るように弾性力を提供する。前記位置決定ユニット３１は、前記係合ユニット２５がロック状態に入った後、もとの位置へ戻ることを防ぐ。即ち、前記係合ユニット２５のロック状態を維持する。前記位置決定ユニット３１が前記係合ユニット２５に対するロック状態を除くと、前記連動ユニット２３と係合ユニット２５が皆もとの位置へ戻る。
【００１７】
前記連動ユニット２３は、第一リンク２４、第二リンク２６及び２つの第三リンク２８を含む。図面のＸ軸、Ｙ軸及びＺ軸を参照すると、前記ボタン２１は、Ｚ軸に沿って移動する。前記第一リンク２４は、前記Ｙ軸に対して平行とされ、且つＹ軸に沿って移動する。前記第一リンク２４の一端は、前記ボタン２１に当接されている。前記第二リンク２６は、前記Ｘ軸に平行し、且つＸ軸に沿って移動する。前記第二リンク２６の一端は、前記第一リンク２４の他端に当接されている。前記第三リンク２８は、前記Ｙ軸に対して平行とされ、且つＹ軸に沿って移動する。前記第三リンク２８の一端は、前記第二ンク２６の他端に当接されている。
【００１８】
前記係合ユニット２５は、２つの鉤部３０、２つのトルクスプリンク３２及び２つのフランジ部３３を含む。前記２つの鉤部３０は、それぞれ前記２つの第三リンク２８の他端に当接されている。前記２つのトルクスプリンク３２は、それぞれ前記２つの鉤部３０に装着されている。前記２つのフランジ部３３は、それぞれ前記２つの鉤部３０に相対するように配置され、前記鉤部３０及びトルクスプリンク３２を前記カバー４０に固定する。
【００１９】
前記第一スプリンク２７は、前記第一リンク２４に装着され、且つ一端が前記カバー４０に当接されている。前記第二スプリンク２９は、前記第二リンク２６に装着され、一端が前記カバー４０に当接されている。前記第一スプリンク２７は、前記第一リンク２４にＹ軸方向の弾性力を提供し、前記第二スプリンク２６は、前記第二リンク２６にＸ軸方向の弾性力を提供する。
【００２０】
前記位置決定ユニット３１は、位置決定部３４、第三スプリンク３５（図３を参照）、検査ピン３６及び第四スプリンク３７を含む。前記位置決定部３４は、Ｙ軸へ移動できるように前記第二スプリンク２６に装着されている。前記位置決定部３４がＹ軸へ移動する過程で前記検査ピン３７と当接するか、又は分離する。前記第三スプリンク３５は、前記位置決定部３４と第二リンク２６との間に配置されて、前記位置決定部３４にＹ軸方向の弾性力を提供する。前記検査ピン３６は、前記Ｚ軸に対して平行に、且つＺ軸に沿って移動することができる。前記第四スプリング３７は、前記検査ピンの一端に連結されている。
【００２１】
前記カバー４０には、第一穴部４２、２つの第二穴部４４及び第三穴部４６が形成されている。前記第一穴部４２に前記ボタン２１が挿入され、前記２つの第二穴部４４に前記２つの鉤部３０が挿入され、前記第三穴部４６に前記検査ピン３６が挿入されている。前記係合装置１０に外部装置を搭載しない時、前記鉤部３０と検査ピン３６とのＺ軸方向での高さは等しくない。
【００２２】
図３は、図１に示した係合装置１０の分解図である。図３に示すように、ボタン２１は、当接部２２２及び斜面部２２４を含む。前記斜面部２２４の一端が前記当接部２２２に固定され、他端には前記第一リンク２４と滑動する第一斜面２２６が設けられている。
【００２３】
前記ボタン２１に接近する前記第一リンク２４の一端には、前記第一斜面２２６に対して平行な第二斜面２４２が設けられ、他端には、前記第二リンク２６と滑動する第三斜面２４４が設けられている。前記第一リンク２４には、２つの第一ガイド部２４６、凸出部２４８及び第一位置決定柱２５０がさらに設けられている。前記２つの第一ガイド部２４６は、共にＹ軸に対して平行となるように一直線上に配置されている。前記凸出部２４８は、前記第一リンク２４に対して垂直に形成されている。前記第一位置決定柱２５０の一端は、Ｙ軸に対して平行となるように前記凸出部２４８に固定されている。
【００２４】
前記第一リンク２４に接近する前記第二リンク２６の一端には、前記第三斜面２４４と対応する第四斜面２６２とが設けられ、他端には、Ｘ軸に対して平行な第二位置決定柱２６４が設けられている。前記第二リンク２６には、３つの第二ガイド部２６６ａ、２６６ｂ及び２６６ｃと、２つの第三ガイド部２６８と、２つの第一ガイド棒２７０と、装着槽２７２と、がさらに設けられている。前記３つの第二ガイド部２６６ａ、２６６ｂ及び２６６ｃの長手方向は、皆前記第二リンク２６の長手方向に対して平行とされる。さらに、前記第二ガイド部２６６ａ及び第二ガイド部２６６ｃは、それぞれ前記第二リンク２６の両端に位置し、前記第二ガイド部２６６ｂは、前記第二ガイド部２６６ａと第二ガイド部２６６ｃとの間に位置する。
【００２５】
前記２つの第三ガイド部２６８は、前記第二リンク２６に対して傾斜するように、前記第二ガイド部２６６ｂと第二ガイド部２６６ｃの間に設けられている。前記２つの第一ガイド棒２７０は、前記第二リンク２６の長手方向に垂直するように、前記第二ガイド部２６６ａと第二ガイド部２６６ｂの間に設けられている。前記装着槽２７２は、Ｙ軸に平行し、前記検査ピン３６を向け合うように、前記第二リンク２６の一側面に設けられている。
【００２６】
図４は、図３に示す第三リンク２８、鉤部３０、トルクスプリンク３２及びフランジ部３３の分解図である。前記第二リンク２６に近接する前記第三リンク２８の一端には、Ｚ軸に対して平行とされ、前記第三ガイド部２６８に挿入される円柱体の第二ガイド棒２８２が設けられている。前記第三リンク２８の他端には、前記鉤部３０に挿入するための第四穴部２８４が設けられている。
【００２７】
前記鉤部３０は、曲げて形成される鉤体３０２と、前記鉤体３０２に対して垂直に形成される軸体３０４と、を含む。前記フランジ部３３は、前記軸体３０４を装着するための凹部３２２と、フランジ部３３を前記カバー４０に装着するための装着孔３２４と、を含む。
【００２８】
図５は、図３に示す第二リンク２６、位置決定部３４、及び検査ピン３６の分解図である。前記位置決定部３４は、基板３４２及び止動部３４４を含む。前記基板３４２の上には、Ｙ軸に対して平行な２つの第四ガイド部３４６が形成されている。前記止動部３４４は、前記検査ピン３６に接近するように前記基板３４２に形成されている。前記止動部３４４は、第一ガイド面３５２及び第一接続面３５４を含む。
【００２９】
図６は、図５に示す検査ピン３６の拡大図である。前記検査ピン３６は、検査柱３６２、支持部３６４及び接続部３６６を含む。前記検査柱３６２は、Ｚ軸に対して平行となるように、その一端が前記支持部３６４に固定されている。前記検査柱３６２が設けられていない前記支持部３６４の反対側には、止動槽３６８が形成されている。前記接続部３６６は、前記位置決定部３４を近接する前記支持部３６４の一側に形成されている。前記接続部３６６は、第二ガイド面３７２及び第二接続面３７４を含む。前記第二ガイド面３７２及び第二接続面３７４は、それぞれ前記止動部３４４の第一ガイド面３５２及び第一接続面３５４に対して平行であり、互いに向かい合っている。
【００３０】
図３を示したように、前記カバー４０には、２つの第一固定柱４１２と、第一凹形固定部４１４と、３つの第二固定柱４１６ａ、４１６ｂ及び４１６ｃと、第二凹形固定部４１８と、ロック部４２０と、収納部４２２と、柱体部４２４と、制限部４２６と、が設けられている。前記第一固定柱４１２は、Ｚ軸に対して平行となるように、一端が前記カバー４０に固定される円柱体である。前記第二固定柱４１６ａ、４１６ｂ及び４１６ｃも、Ｚ軸に対して平行となるように、その一端が前記カバー４０に固定される円柱体である。前記第一凹形固定部４１４は、前記第三リンク２８の両側に置かれる２つのリブで構成されるものである。前記収納部４２２には、案内槽４５０が設けられている。前記第一穴部４２は、前記収納部４２２の内に形成され、前記第二穴部４４は、前記制限部４２６の内に形成されている。
【００３１】
前記係合装置１０を組み立てると、前記カバー４０の第一固定柱４１２が前記第一リンク２４の第一ガイド部２４６に挿入され、前記第一位置決定柱２５０が第一凹形固定部４１４に装着される。前記第一スプリング２７は、前記第一位置決定柱２５０に装着され、両端がそれぞれ前記凸出部２４８及び第一凹形固定部４１４に当接される。前記カバー４０の第二固定柱４１６ａ、４１６ｂ及び４１６ｃは、それぞれ前記第二リンク２６の第二ガイド部２６６ａ、２６６ｂ及び２６６ｃに挿入される。前記第二位置決定柱２６４は、前記第二凹形固定部４１８に装着される。前記第二スプリング２９は、前記第二位置決定柱２６４に装着され、且つ両端がそれぞれ前記第二リンク２６及び第二凹形固定部４１８に当接される。前記第三リンク２８は、前記カバー４０のロック部４２０に装着され、第三リンク２８の第二ガイド棒２８２は、前記第二リンク２６の第三ガイド部２６８に挿入される。
【００３２】
前記トルクスプリンク３２は、前記鉤部３０の軸体３０４に装着される。前記鉤部３０が順序に第三リンク２８の第四穴部２８４とカバー４０の第一穴部４２を貫通した後、前記収納部４２２に固定される。前記鉤部３０の軸体３０４が前記収納部４２２の案内槽４５０に装着される。前記フランジ部３３の前記収納部４２２を覆い、且つ前記カバー４０の柱体部４２４が前記フランジ部３３の装着孔３２４に装着され、前記鉤部３０の軸体３０４が前記フランジ部３３の凹部３２２にも装着される。
【００３３】
前記第三スプリング３５が前記第二リンク２６の装着槽２７２に装着される。前記位置決定部３４が前記装着槽２７２を覆い、前記決定部３４の第四ガイド部３４６が前記第二リンク２６の第一ガイド棒２７０に装着される。前記第三スプリング３５の一端が前記第二リンク２６に当接され、他端が前記位置決定部３４に当接される。前記検査ピン３６が前記カバー４０の制限部４２６に収納され、前記第四スプリング３７の一端が前記検査ピン３６の止動槽３６８に置かれる。
【００３４】
図７は、本発明の係合装置１０に外部装置５が係合していない状態を示す図である。前記外部設備５には、前記鉤部３０に係合される係合孔５０２が設けられている。前記外部装置５を前記係合装置１０に係合しない場合、前記検査ピン３６の一端が前記カバー４０の外部に出ている。且つ、前記検査ピン３６と前記第二リンク２６の位置決定部３４のＺ軸方向での高さは等しくない。
【００３５】
図８は、本発明の係合装置１０に外部装置５が係合している状態を示す図である。前記外部設備５を前記係合装置１０に装着すると、前記鉤部３０が前記外部設備５に押されてロック状態から開放状態へ入る。前記外部設備５が前記係合装置１０の係合位置に完全に到着する後、前記鉤部３０が前記トルクスプリンク３２の弾性力によって前記外部装置５の係合孔５０２に係合される。同時に、前記カバー４０の外部に出る前記検査ピン３６の一端も、前記外部設備５に押されて前記カバー４０の内部に入る。従って、前記検査ピン３６と前記第二リンク２６の位置決定部３４とのＺ軸方向の高さが同一になり、位置決定部３４が検査ピン３６に当接しない（図９Ａを参照）。
【００３６】
前記係合装置１０から前記外部装置５を取り出す時、まず前記ボタン２１をクリックする。前記ボタン２１をクリックすると、前記ボタン２１の第一斜面２２６が前記第一リンク２４の第二斜面２４２に当接されるので、前記第一リンク２４がＺ軸の逆方向へ移動する。同時に、前記第一リンク２４の第三斜面２４４が前記第二リンク２６の第四斜面２６２に当接されるので、前記第二リンク２６がＸ軸の逆方向へ移動する。前記第三リンク２８の第二ガイド棒２８２が前記第二リンク２６の第三ガイド部２６８に装着されているので、前記第二リンク２６が移動する時、前記第三リンク２８がＹ軸の正方向へ移動する。前記第三リンク２８が移動すると、前記鉤部３０が連動されてロック状態から開放状態へ入る。
【００３７】
前記第二リンク２６がＺ軸の逆方向へ移動する過程において、前記位置決定部３４の第一ガイド面３５２が前記検査ピン３６の第二ガイド面３７２に当接される（図９Ｂを参照）。これで、前記位置決定部３４の第一ガイド面３５２がＸ軸、Ｙ軸及びＺ軸の逆方向へ移動するので、第一ガイド面３５２がＹ軸の正方向の分力を受ける。従って、前記位置決定部３４がＹ軸の正方向へ移動し、前記第二リンク２６がＸ軸の逆方向へ移動する。前記第二リンク２６が所定の位置に到達した後（図９Ｃを参照）、前記ボタン２１を解放する。
【００３８】
前記ボタン２１を解放した後、前記ボタン２１及び前記第一リンク２４が前記第一スプリング２７の弾性力によってもとの位置に戻る。前記第二リンク２６は、前記第二スプリング２９の弾性力によってＸ軸の方向へ移動する。これで、第二リンク２６は、前記止動部３４４の第一接続面３５４と前記接続部３６６の第二接続面３７４とが接続する時まで移動する（図９Ｃ参照）。前記第一接続面３５４がＹ軸に対して平行であるから、Ｙ軸の作用力を受けず、前記位置決定部３４がこの位置に停止する。従って、前記第二リンク２６及び第三リンク２８も停止し、前記鉤部３０が開放状態を維持するので、使用者が両手で前記係合装置１０から外部設備５を取り出すことができる。
【００３９】
前記外部設備５を前記係合装置１０から取り出す後、前記外部設備５が前記検査ピン３６を押さないから、検査ピン３６が前記第四スプリング３７の弾性力によってＺ軸の正方向へ移動し、検査ピン３６と位置決定部３４とが分離する。同時に、前記止動部３４４の第一接続面３５４と接続部３６６の第二接続面３７４も分離し、且つ止動部３４４の前記接続部３６６に対する止動の作用が消える。前記第二リンク２６、第三リンク２８及び鉤部３０のすべては、前記第二スプリング２９及びトルクスプリンク３２の弾性力によって初めの位置へ戻る。
【００４０】
前記検査ピン３６の接続部３６６が前記位置決定部３４の止動部３４４によって１つの方向へ止動されるので、前記外部設備５を係合装置１０に係合した後、前記第二リンク２６が前記検査ピン３６に対して１つの方向しか移動することができない。従って、前記ボタン２１をクリックする後、ボタン２１を解放しても、前記外部設備５が前記係合装置１０に係合されないので、使用者が両手で前記係合装置１０から前記外部設備５を取り出すことができる。且つ、前記外部設備５を完全に取り出した後、前記検査ピン３６と位置決定部３４が分離し、ロック状態が消えるので、前記係合装置１０の種々の部品のすべてが初めの位置へ戻る。
【００４１】
前記第一接続面３５４がＹ軸に対して平行とされ、且つＸ軸の正方向及びＺ軸の正方向と向き合うので、前記止動部３４４の第一接続面３５４と接続部３６６の第二接続面３７４も分離する摩擦力が小さくなる。従って、検査ピン３６と位置決定部３４とが容易に分離することができる。
【００４２】
図１０は、本発明の係合装置１０をノートパソコンのドッキングステーション５０に使用する例を示す図である。前記ドッキングステーション５０は、蓋５２及びコネクタ５４を含む。これで、前記蓋５０を設けず、前記係合装置１０のカバー４０を公用することができる。前記カバー４０には、前記２つの第二穴部４８の間に位置し、前記コネクタ５４を装着する装着穴４４が設けられている。前記コネクタ５４は、前記装着穴４８を介して前記ノートパソコン（図に示さない）と電気的に接続する。
【００４３】
前記ノートパソコンを前記係合装置１０に装着すると、係合装置１０の鉤部３０がノートパソコンに係合されるので、前記コネクタ５４がノートパソコンに確実に電気的に接続させることができる。前記ノートパソコンを前記係合装置１０から取り出す時、前記ボタン２１をクリックし、再度解放した後、両手で前記ノートパソコンを前記係合装置１０から取り出すことができる。だから、前記ドッキングステーション５０を取り出すことが簡単になる。且つ、前記ノートパソコンを完全に取り出した後、前記係合装置１０の部品が皆初めの位置へ戻るから、使用が便利になる。
【図面の簡単な説明】
【００４４】
【図１】本発明の第一実施形態に係る係合装置の斜視図である。
【図２】図１に示した係合装置の分解図である。
【図３】図１に示した係合装置の分解図である。
【図４】図３に示す第三リンク、鉤部、トルクスプリンク及びフランジ部の分解図である。
【図５】図３に示す第二リンク、位置決定部、検査ピンの分解図である。
【図６】図５に示す検査ピンの拡大図である。
【図７】本発明の係合装置に外部装置が係合していない状態を示す。
【図８】本発明の係合装置に外部装置が係合している状態を示す。
【図９Ａ】本発明の係合装置の検査ピンが位置決定部に当接される前の状態を示す。
【図９Ｂ】本発明の係合装置の検査ピンが位置決定部に当接される状態を示す。
【図９Ｃ】本発明の係合装置の検査ピンが位置決定部に当接される後の状態を示す。
【図１０】本発明の係合装置をノートパソコンのドッキングステーションに使用する例を示す。
【符号の説明】
【００４５】
５  外部設備
１０  係合装置
２１  ボタン
２３  連動ユニット
２４  第一リンク
２５  係合ユニット    
２６  第二リンク
２７  第一スプリンク
２８  第三リンク
２９  第二スプリンク
３０  鉤部
３１  位置決定ユニット
３２  トルクスプリンク
３３  フランジ部
３４  位置決定部
３５  第三スプリンク
３６  検査ピン
３７  第四スプリンク
４０  カバー
４２  第一穴部
４４  第二穴部
４６  第三穴部
４８  装着穴
５０  ドッキングステーション
５２  蓋
５４  コネクタ
２２２  当接部
２２６  第一斜面
２２４  斜面部
２４２  第二斜面
２４４  第三斜面
２４６  第一ガイド部
２４８  凸出部
２５０  第一位置決定柱
２６２  第四斜面
２６４  第二位置決定柱
２６６ａ  第二ガイド部
２６６ｂ  第二ガイド部
２６６ｃ  第二ガイド部
２６８  第三ガイド部
２７０  第一ガイド棒
２７２  装着槽
２８２  第二ガイド棒
２８４  第四穴部
３０２  鉤体
３０４  軸体
３２２  凹部
３２４  装着孔
３４２  基板
３４４  止動部
３４６  第四ガイド部
３５２  第一ガイド面
３５４  第一接続面
３６２  検査柱
３６４  支持部
３６６  接続部
３６８  止動槽
３７２  第二ガイド面
３７４  第二接続面
４１２  第一固定柱
４１４  第一凹形固定部
４１６ａ  第二固定柱
４１６ｂ  第二固定柱
４１６ｃ  第二固定柱
４１８  第二凹形固定部
４２０  ロック部
４２２  収納部
４２４  柱体部
４２６  制限部
４５０  案内槽
５０２  係合孔
【図１】
2008004100.tif 000003
【図２】
2008004100.tif 000004
【図３】
2008004100.tif 000005
【図４】
2008004100.tif 000006
【図５】
2008004100.tif 000007
【図６】
2008004100.tif 000008
【図７】
2008004100.tif 000009
【図８】
2008004100.tif 000010
【図９Ａ】
2008004100.tif 000011
【図９Ｂ】
2008004100.tif 000012
【図９Ｃ】
2008004100.tif 000013
【図１０】
2008004100.tif 000014